(57)【特許請求の範囲】
【請求項１】
表裏両面を使用できるリバーシブル衣服であって、該衣服の身頃が一重の布からなり、ウエスト部に切替えまたはウエストベルトがある衣服において、該衣服におけるポケットは、衣服の表面側ではウエスト部下方の脇ポケットであり、裏面側ではパッチポケットであり、前記脇ポケットはウエスト部下方の前身頃の脇線側の上部が斜めになってポケット口が形成されており、脇ポケットの向う布は三角形状で、その上辺がウエスト部に縫着され、その側辺が後身頃に縫着され、その斜辺にスライドファスナーの一対のファスナーテープの一方が縫着され、前記一対のファスナーテープの他方のファスナーテープが前記前身頃のポケット口の内側に縫着されており、前記パッチポケットは脇ポケットに対応する位置で一重の布の裏面にポケット布が縫着されて形成されており、該パッチポケットは前記スライドファスナーを覆って、脇ポケットの収納部を兼ねていることを特徴とするリバーシブル衣服。
【発明の詳細な説明】
【技術分野】
【０００１】
本発明はリバーシブル衣服に関し、特に、衣服の身頃が一重（ひとえ）の布からなるリバーシブル衣服におけるポケットに関するものである。
【背景技術】
【０００２】
従来、表と裏の両方が着用可能なリバーシブルの衣服がある。このような衣服は、表生地と裏生地とが重ねられて、縫い合わされたものが多い。また、表と裏の両面が外面として着用可能な一枚の生地で作られているものがある。
【０００３】
実開昭６０−５６７０９号公報（特許文献１）には、表布と裏布とを２枚重ねて縫い合せたリバーシブル仕立ての上着で、表をブレザーに仕立て、裏をジャケットに仕立てて、表と裏で外観が異なる衣服が提案されている。
【０００４】
特開２０００−３４５４０８号公報（特許文献２）には、丈夫な綾織のデニム生地を使用して一枚で両面使用可能なジーンパンツが提案されている。
【先行技術文献】
【特許文献】
【０００５】
【特許文献１】実開昭６０−５６７０９号公報
【特許文献２】特開２０００−３４５４０８号公報
【発明の概要】
【発明が解決しようとする課題】
【０００６】
特許文献１に開示されているような２枚重ねのリバーシブル衣服は一重の布からなるリバーシブル衣服に比較してデザイン的に自由度が大きい。例えば、ポケットについては、第１図のブレザー仕立てではパッチポケットであり、第２図のジャケット仕立てでは切りポケットである。２枚重ねのリバーシブル衣服では表布と裏布との間に空間があるので、切りポケットの袋布は表布と裏布との間に位置し、外側からは見えない。
【０００７】
しかし、２枚重ねのリバーシブル衣服は表布も裏布も通常使用される表生地を使用するので、分厚くなり、重く、着用感が悪いという問題がある。また、２枚の表生地を縫い合わせるため、通常の裏地付き衣服を製作するのとは作業手順が異なり、製作に手間がかかり、縫製技術的に難しい点や、熟練を要するという問題がある。
【０００８】
特許文献２に開示されているジーンパンツは丈夫な綾織の綿布を使用した一重仕立てのものであり、分厚くなるという問題は解決している。
【０００９】
しかし、従来は、一重仕立てのリバーシブル衣服では袋布を用いるポケット（例えば、身頃に切れ目を入れてポケット口とし、その裏側に袋布を付ける切りポケットや、ズボンの脇ポケットのように身頃の一部を切取って、そこをポケット口とし、切取った箇所に表地で向う布を設けて、身頃の裏側と向う布とに袋布を取付けるタイプの切替えポケットなど）を付けることができない。すなわち、袋布は衣服の裏側に設けられるが、一重仕立てのリバーシブル衣服の場合は、片面側では袋布は見えなくとも、裏返した状態では袋布が外に現れてしまうからである。
【００１０】
従って、特許文献２においても、ポケットについては表面（おもてめん）も裏面（うらめん）もパッチポケット（すなわち、ポケット布を身頃の布の表面（ひょうめん）に貼り付けたポケット）であり、リバーシブルであるにも拘らず、デザイン的変化が乏しく、面白みが欠けるという問題がある。
【００１１】
本発明は、このような従来の問題を解決して、一重仕立ての衣服であって、表面と裏面のポケットのデザインを異ならせたリバーシブル衣服を提供することを目的とする。
【課題を解決するための手段】
【００１２】
本発明においては、表裏両面を使用できるリバーシブル衣服であって、該衣服の身頃が一重の布からなり、ウエスト部に切替えまたはウエストベルトがある衣服において、該衣服におけるポケットは、衣服の表面側ではウエスト部下方の脇ポケットであり、裏面側ではパッチポケットであり、前記脇ポケットはウエスト部下方の前身頃の脇線側の上部が斜めになってポケット口が形成されており、脇ポケットの向う布は三角形状で、その上辺がウエスト部に縫着され、その側辺が後身頃に縫着され、その斜辺にスライドファスナーの一対のファスナーテープの一方が縫着され、前記一対のファスナーテープの他方のファスナーテープが前記前身頃のポケット口の内側に縫着されており、前記パッチポケットは脇ポケットに対応する位置で一重の布の裏面にポケット布が縫着されて形成されており、該パッチポケットは前記スライドファスナーを覆って、脇ポケットの収納部を兼ねていることを特徴とするリバーシブル衣服により前記目的を達成する。
【発明の効果】
【００１３】
本発明によれば、身頃が一重の布からなる衣服であるので、分厚くならず、着用感が良い。しかも、リバーシブル衣服の表面側と裏面側ではポケットのデザインが異なっており、表面側ではウエスト部下方の脇ポケットで、裏面側ではパッチポケットであり、リバーシブル衣服として変化があって、面白みがある。
【００１４】
また、本発明によれば、脇ポケットの三角形状の向う布はその上辺がウエスト部に縫着され、その側辺が後身頃に縫着され、その斜辺にスライドファスナーの一対のファスナーテープの一方が縫着され、他方のファスナーテープが前身頃のポケット口の内側に縫着されているので、その全ての辺が固定された状態となり、ヒラヒラしたりしない。
【００１５】
本発明においては、パッチポケットは脇ポケットに対応する位置で一重の布の裏面にポケット布がスライドファスナーを覆うようにして縫着されて形成されている。従って、脇ポケットのスライドファスナーを開くと、パッチポケットの内部に通じ、パッチポケットが脇ポケットの収納部を兼ねる。
【００１６】
本発明のリバーシブル衣服は、その表面を外側として着用している場合は、脇ポケットのスライドファスナーを開いて、それから品物をポケットに入れると、パッチポケット内部に確実に収納することができる。また、裏面を外側として着用している場合は、脇ポケットのスライドファスナーを閉じておけば、そこから零れたりせずに、パッチポケット内に品物を収納することができる。
【図面の簡単な説明】
【００１７】
【図１】図１（ａ）は本発明のリバーシブル衣服の一実施例の表面側の正面図であり、図１（ｂ）はその背面図である。
【図２】図２（ａ）は図１に示したリバーシブル衣服を裏返して裏面側を外側とした状態の正面図であり、図２（ｂ）はその背面図である。
【図３】図３（ａ）は図１（ａ）に示した脇ポケット（左身頃側の脇ポケット）の拡大図であり、図３（ｂ）は図３（ａ）に示したポケットの内部構造を示すために一部を破断して布の重なり状態を示した説明図である。
【図４】図４（ａ）は図２（ａ）に示したパッチポケットの拡大図であり、図３（ａ）の脇ポケットの裏側に位置するパッチポケットである。図４（ｂ）は図４（ａ）に示したポケットの内部構造を示すために一部を破断して布の重なり状態を示した説明図である。
【図５】図３のＡ−Ａ線に沿った断面図であり、説明のために模式的に描いている。
【発明を実施するための形態】
【００１８】
以下、図面に示した実施例に基いて本発明を詳細に説明する。本発明の衣服は、１枚の生地が表と裏の両面が外面として着用可能である布を使用した一重仕立てのリバーシブル衣服１である。なお、実施例の説明においては、布の両面のうち、どちらか一方の面を表面（おもてめん）とし、反対側の面を裏面（うらめん）として説明するが、身頃となる布は両面が外面として使用できるものであるので、どちらの面を本発明における表面（おもてめん）として利用するかは任意である。
【００１９】
図１および図２に示した実施例のリバーシブル衣服１はズボンであり、図１（ａ）は表面側１ａの正面図であり、図１（ｂ）は表面側１ａの背面図であり、図２（ａ）は図１に示したズボン１を裏返して裏面側１ｂを外側とした状態の正面図であり、図２（ｂ）はその背面図である。
【００２０】
この実施例に示したリバーシブルズボン１においては、前身頃１１および後身頃１２の上端のウエスト部１３は、前身頃１１や後身頃１２とは別のパーツとして裁断され縫製されたウエストベルト１３である。
【００２１】
図１（ａ）に示すように、ズボン１の表面側１ａには前身頃１１に脇ポケット２が設けられ、図２（ａ）に示すように、ズボン１の裏面側１ｂには前身頃１１にパッチポケット４が設けられている。
【００２２】
脇ポケット２のポケット口２１は、ウエストベルト１３下方の前身頃１１の脇線（すなわち、前身頃１１と後身頃１２との縫合わせ目６２）側の上部が斜めになっており、図３および図５に示すように、斜めの箇所の縫い代が折返されて縫製され（縫目２２）、ポケット口２１が形成されている。
【００２３】
脇ポケット２の向う布３は三角形状であり、ズボン１と同じ生地である。図３および図５に示すように、向う布３の上辺はウエストベルト１３に縫着され（縫目６１）、向う布３の側辺は後身頃１２に縫着される（縫目６２、６３）。
【００２４】
図５に示すように、一対のファスナーテープ５１と５２、ファスナーエレメント（務歯）５３およびスライダー（図示せず）からなるスライドファスナー５がポケット口２１に設けられる。
【００２５】
一対のファスナーテープ５１と５２の一方５１が、図３（ｂ）に示すように、向う布３の斜辺に縫着され（縫目３１、３２：図５参照）、他方のファスナーテープ５２がポケット口２１の内側で前身頃１１に縫着される（縫目２２、２３：図５参照）。
【００２６】
ズボン１の裏面１ｂに設けられるパッチポケット４は、脇ポケット２に対応する位置で前身頃１１の裏面１ｂ側にポケット布を配置して、前身頃１１に縫着する（縫目４２、４３）ことにより形成される。ポケット布４は図３（ｂ）および図５に示すように、スライドファスナー５を覆っており、スライドファスナー５はパッチポケット４のポケット口４１より内側（すなわち、ポケット内部）にあり、外側からは見えない。
【００２７】
また、図４に示すように、ポケット布４の上辺はウエストベルト１３に縫着され（縫目６１）、ポケット布４の側辺は後身頃１２に縫着される（縫目６２、６３）。
【００２８】
このようにパッチポケット４を前身頃１１の裏面１ｂに縫着することにより、脇ポケット２およびパッチポケット４に共通の収納部７が形成される（図５参照）。そして、図１に示すように、脇ポケット２はポケット布４を縫着した縫目４２、４３によりその区画が規定されることになる。
【００２９】
図１に示すようにリバーシブルズボン１の表面１ａを外側として着用している場合は、脇ポケット２に品物をポケットに入れる際は、スライドファスナー５を開けて、ポケット口２１から開いたスライドファスナー５を通って、収納部７に品物を収納することができる。この場合、パッチポケット４のポケット口４１がスライドファスナー５よりも上方にあるので、ポケット口２１から収納部７に品物を入れる際に、誤って裏側のポケット口４１から外に出てしまうことがなく、確実に収納部７に収納することができる。
【００３０】
また、図２に示すようにリバーシブルズボン１の裏面１ｂを外側として着用している場合は、スライドファスナー５を閉じておけば、そこから零れたりせずに、パッチポケット４の収納部７に品物を収納することができる。
【００３１】
図示した実施例はズボンであるが、本発明は、ズボンに限らず上衣にも適用できる。例えば、サファリジャケットのようにウエスト部に切替えのあるリバーシブル衣服に適用でき、その場合は、図示したウエストベルトは切替え箇所となり、図示したズボンの前身頃および後身頃は切替え箇所より下方の前身頃および後身頃として、脇ポケットおよびパッチポケットを取付けることができる。
【符号の説明】
【００３２】
１  リバーシブル衣服
１ａ  リバーシブル衣服の表面
１ｂ  リバーシブル衣服の裏面
２  脇ポケット
３  向う布
４  パッチポケット（ポケット布）
５  スライドファスナー
１１  前身頃
１２  後身頃
１３  ウエスト部（ウエストベルト）
２１  脇ポケットのポケット口
４１  パッチポケットのポケット口
【要約】
【課題】  表面と裏面のポケットのデザインを異ならせた一重仕立てのリバーシブル衣服を提供する。
【解決手段】  身頃が一重の布からなり、ウエスト部に切替えまたはウエストベルト１３があるリバーシブル衣服１において、ポケットは、衣服の表面側１ａではウエスト部下方の脇ポケット２で、裏面側１ｂではパッチポケット４であり、脇ポケットはウエスト部下方の前身頃１１の脇線側の上部が斜めになってポケット口２１が形成されており、脇ポケットの向う布３は三角形状で、その上辺がウエスト部に縫着され、その側辺が後身頃１２に縫着され、その斜辺にスライドファスナー５の一対のファスナーテープの一方５１が縫着され、他方のファスナーテープ５２が前身頃のポケット口の内側に縫着されており、パッチポケットは脇ポケットに対応する位置で一重の布の裏面にポケット布４が縫着されて形成され、スライドファスナーを覆って、脇ポケットの収納部７を兼ねている。
【選択図】  図５【図１】
0005591972.tif 000002
【図２】
0005591972.tif 000003
【図３】
0005591972.tif 000004
【図４】
0005591972.tif 000005
【図５】
0005591972.tif 000006